(57)【要約】      （修正有）【課題】贈答時の一時的な物だけでなく、贈り主の思いを残せ、インテリア的にも利用できるメッセージボードを提供する。【解決手段】材質にステンレス板を使用したハート型又は正方形の板１，２に、表には英文字をデザインした文字を、裏面には護符のマークをシルク印刷し、板の上部には多目的利用を考え、細いピン棒が入るくらいの穴を開けた板を花束等の贈りものと一緒に、プラスチック棒頂部に装着された吸盤にて取り付け贈るメッセージボードであり、贈られた後はプラスチック棒を外せば、セットになっているボード立てに立てられ、メッセージカードとしてだけでなく、記念プレートやインテリアとしても利用可能なメッセージボード。【選択図】図１
0003130764.tif 000002
【実用新案登録請求の範囲】
【請求項１】
図１のボード（ハート型）・（正方形）は材質にステンレス板を利用し、１ａ・２ａはパソコンより英文字抽出分を修正し印刷したもの、１ｂ・２ｂは細いピン棒が入るくらいの穴を開けたもの（表面）、１ｃ・２ｃは護符のマークを印刷（裏面）その裏面に、プラスチック棒を立てる為、且つ脱着を容易に出来るように図２−４の吸盤を用いる事とした。しかし、ステンレスにシルク印刷を施している故、吸着力が低下したが、アロマオイルをボード面と吸盤との間に塗布することにより吸着力が高められ、贈答時に外れる事の心配が解消された。
メッセージカードとしての利用後、インテリア要素も考えプラスチック棒を取り外した後も、記念プレートとして飾っておけるよう同素材のプレート立て図４−６と、護符の説明書を布製の小さな袋図３−５に入れ吊り下げた。尚、メッセージは、ボード表面の余白に油性ペンで書くとも出来る。
メッセージボードからプラスチック棒を取り外した後インテリアとして記念に立てられるようにしたイメージであり、この折に２つ空けた上部の穴にはピアス等付けることも出来、又吊り下げる事も可能とした。
【考案の詳細な説明】
【技術分野】
【０００１】  ステンレス面を美しくアピールする為にシルク印刷を施し、キメの細かい、傷のないヘアーライン加工しシンプルな素材を生かしたものとしている事とプラスチック棒とメッセージボードの脱着に吸盤を利用し、吸着の持続時間をアロマオイルにて一層高めている。
【背景技術】
【０００２】  従来は、紙・プラッスチ製で、破れたり・壊れたりで、記念に残す事が難しかった。
【考案の開示】
【考案が解決しようとする課題】
【０００３】  従来の物は、紙・プラスチック製が通常で、一時的な物であった。その概念を変え贈る物を引き立てるだけでなく、ボード自身のみでも存在感があり、後々にも残る物にした。
【課題を解決する為の手段】
【０００４】  本考案は、ボードの材質にステンレス板を利用することにより、特質である錆びない落ち着いた色合いが、シンプルな素材であり、光沢あるヘアーライン仕上げにシルク印刷を施し、清楚の中に豪華さをだした。尚、付加価値として▲１▼気運を高める護符を描く。▲２▼インテリアとして利用出来る様に同素材のスタンドをセットにする。▲３▼２つの穴を空けることで、利用方法で多様性を持たせた。
【考案の効果】
【０００５】  従来、贈ったその場だけの単なる贈り主が分かる程度のものであった。本考案は真の贈り主からの気持ちを保持して、又他の目的にも利用が出来る多目的なものである。
【考案の目的】
【０００６】  花・贈答品・御祝・記念品等との折、心を込めて相手に気持ちを伝え、又その後も記念に残し利用して欲しいという願いを感じてもらう事が出来る。
【考案を実施する為の最良の形態】
【０００７】・  まず花屋さんに持ち込みアンケート調査にて反応を見て興味を示したところにモニター体験をして頂き実感して頂く。
・  何にもまして世間に知って頂く為に広告・チラシ・通販等も考える。
・  各分野の取り扱い関連企業へのアピール等
・  現状の大きさ、ハート型は巾１２センチ、高さ１０センチ、正方形は１１センチ角と形のパターンが少ないので、用途によりパターンを考えて行く。
利用はあくまでもメッセージボードとして贈答品の付属商品として利用するが、後の利用法は贈られた方の工夫により、多目的に展開が広がる。
【実施例】
【０００８】  図５  花を贈る場合のメッセージカードのように、花束・鉢植えに刺して贈る。
図３の図１と図２の組み合わせた物に花を傷めないようにポリ袋で包み、プラスチック棒も花束・鉢植えのサイズにより長さ・取付け位置の調整できる様にした。【０００９】  図６  贈答のぬいぐるみ等に抱かせたり、リボン掛けした箱入り贈答品などは、箱とリボンの間に挟んだりして贈る。
図１−１・２の状態で嵩張らず従来のカード感覚で、普段、口に出して言えないような言葉の添え書きも出来メッセージボードとして託す事が出来る。【００１０】  図７  プラスチック棒をはずした後、ボードだけで図４−６を利用し飾る、１ｂ・２ｂの穴にはジュエリーのピアス・ピンブローチ・ネクタイピンを刺しても利用できる。
組み合わせで多目的に利用出来、贈り物としてだけでなく、室内装飾品としても利用できる。
【図面の簡単な説明】
【００１１】
【図１】  ハート型・正方形のステンレスボード両面にシルク印刷を施し上部に小さな２つの穴を開け、表面にはパソコンより抽出した英文字をアレンジした文字（ＦｏｒＹｏｕ  ｏｒ  ＨａｐｐｙＢｉｒｔｈｄａｙ）を印刷。右上に赤いバラの花をプリント、裏面には護符というお守りの紋章を印刷し、相手の運気が良くなる様、３パターンのお守りを印刷。
【図２】  ボードの裏面にプラスチック棒を取り付ける為に、棒の頂部に市販の吸盤を装着。裏面は護符のシルク印刷の為、吸着時間が短くなるのを防ぐ為にアロマオイルを塗る事で、装着時間が長く保てるようになると共に、オイルの香りが気持ちを落ち着かせるセラピー効果も得られる。
【図３】  ボード裏面にプラスチック棒をはずした折、ボードを立てる為のボード立てと裏面の護符の説明書を入れた（赤と紫）の小さな手製袋を布紐にて吊り下げている状態。
【図４】  ボードのプラスチック棒を外した後、ボード立てにボードを立てた状態で表裏・ボード立てへの差し方は、自在である。
【符号の説明】
【００１３】  １・・・・・ステンレスボード（ハート型）
２・・・・・ステンレスボード（四角形）
１ａ・・・・ＦｏｒＹｏｕ英文字の印刷
１・２ｂ・・小さな穴（φ１ｍｍ）
１・２ｃ・・ボード裏面の護符の印刷
２ａ・・・・ＨａｐｐｙＢｉｒｔｈｄａｙ（英文字印刷）
３ａ・・・・プラスチック棒（短）
３ｂ・・・・プラスチック棒（長）
４・・・・・吸盤
５ａ・・・・小さな布製袋（赤・紫）
６・・・・・ステンレス製ボード立て
【図１】
0003130764.tif 000003
【図２】
0003130764.tif 000004
【図３】
0003130764.tif 000005
【図４】
0003130764.tif 000006
【図５】
0003130764.tif 000007
【図６】
0003130764.tif 000008
【図７】
0003130764.tif 000009
【手続補正書】
【提出日】平成18年12月25日(2006.12.25)
【手続補正１】
【補正対象書類名】実用新案登録請求の範囲
【補正対象項目名】全文
【補正方法】変更
【補正の内容】
【実用新案登録請求の範囲】
【請求項１】
材質にステンレス板を使用したハート型又は正方形の板に、表には英文字をデザインした文字を、裏面には護符のマークをシルク印刷し、板の上部には多目的利用を考え、細いピン棒が入るくらいの穴を開けた板を、花束等の贈りものと一緒に、プラスチック棒頂部に装着された吸盤にて取り付け贈るメッセージボードで、贈られた後はプラスチック棒を外せば、セットになっているボード立てに立てられ、メッセージカードとしてだけでなく、記念プレート・インテリアとしても利用できるように工夫されたメッセージボード。
【手続補正２】
【補正対象書類名】明細書
【補正対象項目名】００１１
【補正方法】変更
【補正の内容】
【００１１】
【図１】  ハート型・正方形のステンレスボード両面にシルク印刷を施し上部に小さな２つの穴を開け、表面にはパソコンより抽出した英文字をアレンジした文字（ＦｏｒＹｏｕ  ｏｒ  ＨａｐｐｙＢｉｒｔｈｄａｙ）を印刷。右上に赤いバラの花をプリント、裏面には護符というお守りの紋章を印刷し、相手の運気が良くなる様、３パターンのお守りを印刷。
【図２】  ボードの裏面にプラスチック棒を取り付ける為に、棒の頂部に市販の吸盤を装着。裏面は護符のシルク印刷の為、吸着時間が短くなるのを防ぐ為にアロマオイルを塗る事で、装着時間が長く保てるようになると共に、オイルの香りが気持ちを落ち着かせるセラピー効果も得られる。
【図３】  ボード裏面にプラスチック棒をはずした折、ボードを立てる為のボード立てと裏面の護符の説明書を入れた（赤と紫）の小さな手製袋を布紐にて吊り下げている状態。
【図４】  ボードのプラスチック棒を外した後、ボード立てにボードを立てた状態で表裏・ボード立てへの差し方は、自在である。
【図５】  花束・鉢植えに差込みプレゼントする。
【図６】  贈り物自身に持たせる。又は、ギフト箱とリボンの間に挟み込む。
【図７】  インテリアとしてボード立てに立てアクセサリー等飾る。又は、ウイスキー等ボトルなどに吊り下げる。